(57)【要約】      （修正有）【課題】構成部材がシンプルな形状であり、組付けが簡単であり製造工程の短縮化が図られ、安価な材料を使用することが出来て製造コストを抑えられる一方、取扱い操作が簡単でかつ、取扱い上の安全性が高い果実等の切断器を提供する。【解決手段】一辺に刃を有する固定刃２と、前記固定刃２の両端を支持するフレーム３と、該フレーム３の底面に固定され斜め下方へ垂下し長竿と連結される連結部材４と、金属線材を直線部５ａと略四分の１の円弧線部５ｂとなるように折り曲げ形成されフレーム３と協働して略四分の１の円弧の平面空間を形成する誘導枠５と、揺動端６ａが前記誘導枠５の円弧線部５ｂと係合され基端部６ｂが前記フレーム３の一端に枢着され前記平面空間を回動する揺動板６と、先端が揺動端６ａに接続され中途を前記フレーム３の牽引孔８に通されて牽引操作により前記揺動板６を回動する牽引線７と、を備えた。【選択図】図１
0003149973.tif 000002
【実用新案登録請求の範囲】
【請求項１】
一辺に刃を有する固定刃と、
前記固定刃の他辺側に位置し該固定刃を支持するフレームと、
上端が前記フレームに取付けられて斜め下方へ垂下し長竿と連結される連結部材と、
金属線材を直線部と円弧線部に曲げ形成し、前記直線部の基端を前記フレームの一端に固定し該円弧線部の他端を前記フレームの一端に固定し前記フレームと協働して略扇状の平面空間を形成する誘導枠と、
揺動端が前記誘導枠の円弧線部と係合され、基端部が前記フレームの一端に枢着されて前記平面空間を回動する揺動板と、
前記揺動板の揺動端に連結され長竿に沿って牽引可能な牽引線と、
を備えたことを特徴とする果実等の切断器。
【請求項２】
フレームは、固定刃の両端部を挟持する一対の張出部と、該張出部よりも平面空間側に張出し揺動板の基端部を枢着する軸部とを有し、さらに前記平面空間に面する側面部に全長にわたる溝を有する形成であり、前記揺動板は前記溝の前記軸部に対応する部分に挟入されて枢支され、前記固定刃は前記溝の前記一対の張出部にわたる部分に挟入されて両端を挟持されることを特徴とする請求項１に記載の果実等の切断器。
【請求項３】
揺動板の揺動端は、誘導枠の円弧線部を巻き込んでループ状に折り曲げ形成され、前記円弧線部をガイドとして揺動することを特徴とする請求項１または２に記載の果実等の切断器。
【考案の詳細な説明】
【技術分野】
【０００１】
この考案は、人の手の届かない高所の果実等の茎を切断して採取する果実等の切断器に関する。
【背景技術】
【０００２】
一般に果実等の切断器は、人の手の届かない高所の果実等の茎を切断して採取できるように柄の先端部に切断器が連結されていると共に、作業者が果実等の茎を視認しやすいように柄の先端部が切断器に対して所要の角度をつけているものが知られている。
本出願人が先に考案した果実等の切断器（特許文献１参照）は、操作用柄と、枠体と、回動刃と、誘導枠体と、誘導溝条と、牽引紐と、牽引溝条とから構成されている。
【先行技術文献】
【特許文献】
【０００３】
【特許文献１】実用新案登録第３１４５０６４号公報。
【考案の概要】
【考案が解決しようとする課題】
【０００４】
しかしながら、特許文献１に記載された果実等の切断器は、枠体の一部をなす円弧状の誘導枠体に回動刃の揺動端を固定刃へと誘導する誘導溝条を備えた構成なので、枠体の構成が複雑で組付けが難しく、コスト高となり、大量生産には適さない。また、牽引溝条に牽引紐を擦りながら誘導するため、スムーズな回動刃の回動が困難となっている。
【０００５】
本考案は、上述した点に鑑み案出されたもので、その目的とするところは、構成部材がシンプルな形状であり、組付けが簡単であり製造工程の短縮化が図られ、安価な材料を使用することが出来て製造コストを抑えられる一方、取扱い操作が簡単でかつ、取扱い上の安全性が高い果実等の切断器を提供することにある。
【課題を解決するための手段】
【０００６】
上記課題を解決するため、本考案の果実等の切断器は、一辺に刃を有する固定刃と、前記固定刃の他辺側に位置し該固定刃を支持するフレームと、上端が前記フレームに取付けられて斜め下方へ垂下し長竿と連結される連結部材と、金属線材を直線部と円弧線部に曲げ形成し、前記直線部の基端を前記フレームの一端に固定し該円弧線部の他端を前記フレームの一端に固定し前記フレームと協働して略扇状の平面空間を形成する誘導枠と、揺動端が前記誘導枠の円弧線部と係合され、基端部が前記フレームの一端に枢着されて前記平面空間を回動する揺動板と、前記揺動板の揺動端に連結され長竿に沿って牽引可能な牽引線と、を備えたことを特徴とする。
【０００７】
上記構成によれば、連結部材に長竿を接続し、長竿を立ち上げてフレームと誘導枠によって形成される平面空間を木になっている果実等に対応させてから長竿を上昇又は下降させて平面空間内に果実等を下側あるいは上側から通すように誘導する。この状態で牽引線基端を牽引すると揺動板が誘導枠の直線部に寄った位置より円弧線部の他端に寄った位置まで回動し、揺動板の側縁と前記固定刃の刃とで、果実等の茎部分を圧接し切断することができる。
【０００８】
上記構成によれば、誘導枠を金属線材の折り曲げ加工してなる構成としたので、誘導枠の形状がシンプルになり、加工が容易となる。さらに、フレームへの組立が容易となることでコストを大幅に下げられ、生産性が向上し、切断器の軽量化を図ることができる。
また、両刃を有する固定刃とすることで、最初に使用する刃が欠け、あるいは切れ味が衰えた場合には、１８０度向きを変えて他方の刃を使用でき、この交換が容易に行える。
【０００９】
また本考案の前記フレームは、固定刃の両端部を挟持する一対の張出部と、該張出部よりも前記平面空間側に張出し前記揺動板の基端部を枢着する軸部とを有し、さらに前記平面空間に面する側面部に全長にわたる溝を有する形成であり、前記揺動板は前記溝の前記軸部に対応する部分に挟入されて枢支され、前記固定刃は前記溝の前記一対の張出部にわたる部分に挟入されて両端を挟持されることを特徴とする。
【００１０】
この構成にすると、固定刃をフレームに堅固に固定することができる。そして、自由な揺動板によって、フレームの平面空間へ誘導された果実の茎等を固定刃との圧接あるいは摺動によって切断することができる。
一方、固定刃に対してフレームの一対の張出部間が被さっていないので、寄せられた果実がフレームに当たらずに固定刃に載り、果実とフレームとの関係が切断の邪魔にならず、茎の固定刃と揺動板による圧接・切断を良好になし得る。
さらに、固定溝に固定刃を挿入し、一対の張出部で固定刃を挟んで木ねじ等で固定できるので、固定刃の切れ味が衰えた場合、容易に刃の交換をすることができる。
【００１１】
また本考案の揺動板の揺動端は、誘導枠の円弧線部を巻き込んでループ状に折り曲げ形成され、前記円弧線部をガイドとして揺動することを特徴とする。
【００１２】
上記構成によれば、牽引線の牽引により揺動板が固定刃側に回動され、果実等の茎を固定刃へ向けて寄せる際に該固定刃からの反力を受けた場合においても、揺動端と円弧線部が離脱不能にガイドされているので、揺動板と固定刃との当接が確保される。
また、回動板が直線部側に寄った場合においては、ループ状に折り曲げ形成された回動端が誘導枠の直線部と接触するので、回動板が誘導枠から外れることがない。
【考案の効果】
【００１３】
本考案によれば、以下のような優れた効果を有する果実等の切断器を提供することができる。
（１）誘導枠について金属線材を折り曲げ加工し、牽引線の誘導枠溝を設けない構成としたので、製造工程の短縮化、切断器の軽量化が図れるので生産性が向上する。
（２）固定刃の両端部をフレームの一対の張出部で支持し、固定刃の中程ではフレームが刃からに被さらないで後退している構成としたので、固定刃と協働して果実等の茎部を圧接切断する際に該果実等を圧潰することなく、果実等の売り物としての価値喪失を回避できる。
（３）フレームに固定溝を備えて固定刃を挿入し、木ねじ等の止着具で固定できるので固定刃の交換を容易に行うことができる。
【図面の簡単な説明】
【００１４】
【図１】実施の形態に係る果実等の切断器の正面図
【図２】図１の果実等の切断器の底面図
【図３】図１の果実等の切断器の平面方向に見た斜視図
【図４】図１におけるＡ−Ａ断面図
【図５】図１の果実等の切断器の作業図
【考案を実施するための形態】
【００１５】
次に本考案の実施形態に係る果実等の切断器を図面に基づいて説明する。
【００１６】
[構成]
図１〜図４に示すように、この実施形態の果実等の切断器１は、固定刃２と、フレーム３と、連結部材４と、誘導枠５と、揺動板６と、牽引線７と、を備えてなる。
この実施形態では、揺動板６の基端部と、フレーム３の軸部３ｃの側端部と、を連結する付勢部材１４がさらに設けられている。
【００１７】
フレーム３は、固定刃２の両端部を挟持する一対の張出部３ａ、３ｂと、張出部３ａ、３ｂよりも平面空間側に張出し、揺動板６の基端部６ｂを枢着する軸部３ｃとを有し、平面空間に面する側面部３ｄの全長にわたる溝１２を有する。この溝１２は、張出部３ａ、３ｂ間の湾曲形状に対応している。
軸部３ｃは、揺動板６の基端寄りの中途を枢支すると共に、軸部３ｃの平面中央に設けられている軸孔１１に螺入されるねじ１５によって揺動板６を回動自由としている。
【００１８】
固定刃２は、一辺に刃を有し、フレーム３の溝１２の一対の張出部３ａ、３ｂにわたる部分に挟入されて両端を一対の張出部３ａ、３ｂによって挟持され、さらに各張出部３ａ、３ｂに螺設されたねじ１６の先端で押圧固定されている。
なお、固定刃２がフレーム３の溝１２に着脱自在に挟入されているので、固定刃２を両刃として１８０度向きを換えて使用できる。
【００１９】
連結部材４は、金属製の短いパイプよりなり、上端をフレーム３の下面に斜めに穿設された孔（符号なし）に強制的に差し込まれ、下端を長竿９と連結される。
また、連結部材４は、固定刃２から離れる方向に斜め下方に垂下していることにより、長竿９を連結した切断器１を使用する場合において、使用者は果実等を見上げる角度が小さくなり、使用者の首への負担が軽減する。
なお、連結部材４には、長竿９との連結固定具が付設され、連結部材４と長竿９との間に角度調整部材（図示せず）を設けることにより、切断器１を使用者にとって最適な角度に調整することもできる。
【００２０】
誘導枠５は、金属線材を直線部５ａと円弧線部５ｂとなるように折り曲げ形成され、直線部５ａの端部と円弧線部５ｂの端部をフレーム３の側面に穿設した穴に強制的に挿入固定され、フレーム３と協働して平面空間を形成する。
ここで誘導枠５は、金属線材を直線部５ａと略四分の１の円弧線部５ｂとなるように折り曲げ形成されるのが好ましい。
【００２１】
揺動板６は、揺動端６ａが誘導枠５の円弧線部５ｂと係合し、係止部６ｃ（例えば穴）に牽引線７を接続している一方、基端部６ｂがフレーム３の軸部３ｃに対応する部分に挟入されて枢支され平面空間を回動する。
また揺動板６は、揺動端６ａが誘導枠５の円弧線部５ｂに摺動可能、離脱不能に係合され、牽引線７が牽引されることにより円弧線部５ｂに沿って回動し固定刃２へ誘導され、固定刃２と協働して果実等の茎を圧接切断し得る。ここで、揺動板６は回動側の側端が果実等の茎を固定刃２の刃に圧接させる構成であれば良く、揺動板６の当接側の側端に刃を設けても良い。
さらに揺動板６は、基端部６ｂ近傍に軸孔１１が設けられ、該軸孔１１にフレーム３の軸部３ｃで枢支され、軸部３ｃの平面中央から螺入されるねじ１５が挿通され、ねじ１５を支軸として回動自由となっている（図４参照）。
軸部３ｃの溝を形成している対向一対の側面は互いに平行な面であって、前記揺動板６の両面にゆるく摺動接触して該揺動板６の縦揺れ、縦たわみを抑える役目を担っている。
揺動端６ａは、誘導枠５の円弧線部５ｂを巻き込むように折り曲げられているが、巻込み部材（符号なし）を設けても良い（図４参照）。
【００２２】
牽引線７は、先端が揺動板６の揺動端６ａの係止部６ｃに接続され、中途がフレーム３の円弧線部５ｂの他端近傍に設けた牽引孔８に通されて基端が操作者側にまで延びた長さとされる。
【００２３】
付勢部材１４は、コイルバネが図中で用いられ、一端を揺動板６の基端部６ｂに設けられたばね係止部６ｄ（例えば穴）に接続され、他端をフレーム３の軸部３ｃの側端部のばね係止部１３（例えば穴）に接続され、揺動板６が誘導枠５の直線部５ａに寄った状態で付勢されて、揺動板６が固定刃２に向かって回動していくに連れて蓄勢復帰力を大きくするようになっている。このため、付勢部材１４は通常時には誘導枠５の直線部５ａに寄っている。牽引した牽引線７を手放すと付勢部材１４の蓄勢復帰力により、揺動板６が誘導枠５の直線部５ａ側へ向けて回動すると共に、牽引線７もまた牽引した長さ分戻る。なお、付勢部材１４としては、ゴム紐等であっても良い。
【００２４】
[作用]
上記構成によれば、連結部材４に長竿９を接続し、長竿９を立ち上げてフレーム３と金属線材の誘導枠５によって形成される平面空間を木になっている果実等に対応させてから長竿９を上昇又は下降させて平面空間内に果実等を下側あるいは上側から通すように誘導する。この状態で牽引線７の基端を地面方向に牽引すると揺動板６が誘導枠の直線部５ａに寄った位置より円弧線部５ｂの他端に寄った位置まで回動し、揺動板６の側縁で果実等の茎部分を前記固定刃２の刃に圧接あるいは摺動させ、果実等の茎部分を切断することができる。フレーム３が固定刃２の両端以外に大きく被さらない構成であるので、果実等の茎が揺動板６により固定刃２側へ押し付けられた際にフレーム３が果実等を圧潰することがない。
【００２５】
以上のように、果実等の切断器１は、図５に示すように連結部材４に長竿９を接続し、操作者が果実等を視認しながら果実等の茎を平面空間内に通してから、牽引線７を下方へ牽引することによって揺動板６を回動させ、平面空間内にある果実等の茎を固定刃２へと誘導させ、揺動板６と固定刃２とで協働して果実等の茎を確実に切断できる。
【符号の説明】
【００２６】
１              果実等の切断器
２              固定刃
３              フレーム
３ａ、３ｂ      張出部
３ｃ            軸部
３ｄ            側面部
４              連結部材
５              誘導枠
５ａ            直線部
５ｂ            円弧線部
５ｃ            屈曲部
６              揺動板
６ａ            揺動端
６ｂ            基端部
６ｃ            係止部
６ｄ            ばね係止部
７              牽引線
８              牽引孔
９              長竿
１１            軸孔
１２            溝
１３            ばね係止部
１４            付勢部材
１５            ねじ
１６            ねじ
【図１】
0003149973.tif 000003
【図２】
0003149973.tif 000004
【図３】
0003149973.tif 000005
【図４】
0003149973.tif 000006
【図５】
0003149973.tif 000007